(57)【要約】  空調システムの屋外ユニットの実施形態について記載する。実施形態によっては、屋外ユニットは、全般的に花形の輪郭を有するように構成されうる。花形の屋外ユニットの上部パネルは、全般的に六角形の形状を有するように構成されうる。屋外ユニットは、２つのコイル支持フレームを有するように構成されうる。２つのコイル支持フレームは、全般的に互いに向かい合う２つのコイルを支持するように構成されうる。各コイルは、斜向配置された２つのコイル区画を有するように構成されうる。花形の屋外ユニットは、コンデンサコイルの高さに沿ってより均一に分散された空気流を作り出す助けとなりうる。複数の花形の屋外ユニットが稼働時互いに隣り合って取り付けられたときに、２つの隣接する屋外ユニットの間に、空気流が通過して流れるのを可能にする空間が、その花形の屋外ユニットにより設けられうる。
2016523351.tif 000002
【特許請求の範囲】
【請求項１】
空調システムの屋外ユニットのためのハウジングであって、
下部パネルおよび上部パネルと、
前記下部パネルと前記上部パネルの間に延びる、前記下部パネルから前記上部パネルへと垂直方向外向きに広がる、第１のコイル支持フレームおよび第２のコイル支持フレームとを備え、
前記第１のコイル支持フレームおよび前記第２のコイル支持フレームがそれぞれ、前記下部パネルおよび前記上部パネルと共に、２つの支持表面を画成し、前記第１のコイル支持フレームおよび前記第２のコイル支持フレームのそれぞれの前記２つの支持表面が、長手方向において互いに対して斜向している、ハウジング。
【請求項２】
前記第１および第２のコイル支持フレームのそれぞれの前記２つの支持表面が、前記長手方向において互いに隣接し、前記長手方向において１８０度より小さい角度をなす、請求項１に記載のハウジング。
【請求項３】
前記第１のコイル支持フレームおよび前記第２のコイル支持フレームが、前記垂直方向に対して４〜３０度外向きに広がる、請求項１に記載のハウジング。
【請求項４】
前記第１のコイル支持フレームおよび前記第２のコイル支持フレームが、前記ハウジングの両側面にある、請求項１に記載のハウジング。
【請求項５】
前記ハウジングの前記上部パネルが六角形の形状である、請求項１に記載のハウジング。
【請求項６】
前記第１のコイル支持フレームおよび前記第２のコイル支持フレームのそれぞれの前記２つの支持表面が、前記六角形の形状である前記上部パネルの２つの隣接する辺を占めている、請求項５に記載のハウジング。
【請求項７】
前記ハウジングの前記下部パネルが六角形の形状であり、前記第１のコイル支持フレームおよび前記第２のコイル支持フレームがそれぞれ、前記六角形の形状である前記下部パネルの２つの辺を占めている、請求項１に記載のハウジング。
【請求項８】
前記下部パネルが、コンプレッサを支持するように構成され、前記上部パネルが、ファンを支持するように構成されている、請求項１に記載のハウジング。
【請求項９】
前記２つの支持表面によって形成される前記角度が１２０度〜１７５度である、請求項２に記載のハウジング。
【請求項１０】
空調システムの屋外ユニットであって、
下部パネル、上部パネル、第１のコイル支持フレームおよび第２のコイル支持フレームを有するハウジングと、
前記第１のコイル支持フレームによって支持される第１のコイル区画および第２のコイル区画と、
前記第２のコイル支持フレームによって支持される第３のコイル区画および第４のコイル区画とを備え、
前記第１のコイル区画と前記第２のコイル区画が、長手方向において互いに対して斜向しており、前記第３のコイル区画と前記第４のコイル区画が、前記長手方向において互いに対して斜向しており、前記第１のコイル支持フレームおよび前記第２のコイル支持フレームが、前記下部パネルから前記上部パネルへと垂直方向外向きに広がる、空調システムの屋外ユニット。
【請求項１１】
前記第１のコイル区画と前記第２のコイル区画が、前記長手方向において互いに隣接し、前記第３のコイル区画と前記第４のコイル区画が、前記長手方向において互いに隣接する、請求項１０に記載の空調システムの屋外ユニット。
【請求項１２】
前記第１のコイル区画と前記第２のコイル区画、ならびに前記第３のコイル区画と前記第４のコイル区画が、前記長手方向において１８０度より小さい角度をなす、請求項１０に記載の空調システムの屋外ユニット。
【請求項１３】
前記ハウジングの上部パネルが六角形の形状をし、前記第１のコイル支持フレームおよび前記第２のコイル支持フレームがそれぞれ、六角形の形状をした上部パネルの２つの隣接する辺に対応する、請求項１０に記載の空調システムの屋外ユニット。
【請求項１４】
前記ハウジングの下部パネルが六角形の形状をし、前記第１のコイル支持フレームおよび前記第２のコイル支持フレームがそれぞれ、六角形の形状をした下部パネルの２つの辺に対応する、請求項１０に記載の空調システムの屋外ユニット。
【請求項１５】
前記下部パネルが、コンプレッサを支持するように構成され、前記上部パネルが、ファンを支持するように構成されている、請求項１０に記載の空調システムの屋外ユニット。
【請求項１６】
前記第１のコイル区画と前記第２のコイル区画によって形成される前記角度が１２０〜１７５度である、請求項１２に記載の空調システムの屋外ユニット。
【請求項１７】
前記第１のコイル支持フレームおよび前記第２のコイル支持フレームが、前記垂直方向に対して４〜３０度外向きに広がる、請求項１０に記載の空調システムの屋外ユニット。
【発明の詳細な説明】
【技術分野】
【０００１】
本明細書に開示する実施形態は一般に、暖房、換気、または空調（ＨＶＡＣ）システムに関する。より詳細には、本明細書に開示する実施形態は、可変水流空調システムや可変冷媒流空調システムなどの空調システムの屋外ユニットに関する。
【背景技術】
【０００２】
空調システムは一般に、建物の内部空間の温度を調整するように構成される。空調システムによっては、屋外部分と屋内部分を有するように構成されうる。屋外部分は、コンプレッサ、コンデンサおよび／またはファンを収容するように構成されうる。屋内部分は、ファン、屋内冷却コイルおよび／またはフィルタを収容するように構成される。屋外ユニットは一般に、建物の屋上、または建物を取り囲む地面上に配置されうる。
【発明の概要】
【発明が解決しようとする課題】
【０００３】
空調システムの屋外ユニットの実施形態について記載する。
【課題を解決するための手段】
【０００４】
屋外ユニットは、全般的に花形の輪郭を有するように構成されうる。上記屋外ユニットのハウジングは、コンデンサコイルなどのコイルを支持するように構成されたコイル支持フレームを有するように構成されうる。実施形態によっては、コイルは、全般的に互いに向かい合い、屋外ユニットの下部パネルから上部パネルへと外向きに広がるように構成されうる。
【０００５】
実施形態によっては、各コイルは、長手方向において互いに対して斜向した２つのコイル区画を有するように構成されうる。実施形態によっては、上部パネルは、上から見て六角形の形状を有するように構成されうる。実施形態によっては、コイル区画は、１つのコイルのコイル区画が六角形の形状の２つの隣接する辺に対応するように構成されうる。
【発明の効果】
【０００６】
花形の屋外ユニットは、より均一に分散された、コイルを通過する空気流をもたらす助けとなりうる。花形の屋外ユニットはまた、複数の屋外ユニットが互いに隣り合って配置されたときに、隣接する屋外ユニット間における空気の流れを助けうる。花形の屋外ユニットはまた、屋外ユニットの設置面積を低減する助けとなりうる。
【図面の簡単な説明】
【０００７】
【図１】様々な屋内ユニットに接続されうる屋外ユニットの実施形態の概略図である。
【図２Ａ】屋外ユニットの実施形態の側面図である。
【図２Ｂ】屋外ユニットの実施形態の端面図である。
【図２Ｃ】屋外ユニットの実施形態の上面図である。
【図２Ｄ】屋外ユニットの実施形態の斜視図である。
【図３】屋外ユニットの他の実施形態の上面図である。
【図４】屋外ユニットのさらなる他の実施形態の上面図である。
【図５】複数の屋外ユニットを有する実施形態の斜視図である。
【図６Ａ】屋外ユニットの２つの異なる実施形態の図である。
【図６Ｂ】屋外ユニットの２つの異なる実施形態の図である。
【図６Ｃ】図６Ａと６Ｂにそれぞれ示されている屋外ユニットを比較した数値流体力学モデリングの結果を示す図である。
【発明を実施するための形態】
【０００８】
空調システムは一般に、屋内空間の温度を調整するように構成される。空調システムは様々な構成を有しうる。一構成では、空調システムは、屋外ユニットと屋内ユニットを有するように構成されうる。屋外ユニットは、コンプレッサ、コンデンサ、および／またはファンを収容するように構成されうる。屋外ユニットは、建物の屋上、または建物を取り囲む地面に配置されうる。ファンは、コンデンサと環境との熱交換を促進するために、コンデンサを通過する空気を循環させるように構成されうる。
【０００９】
以下の例示的実施形態の説明で、空調システムの屋外ユニットの各実施形態について述べる。実施形態によっては、屋外ユニットは、下部パネルから上部パネルへと広がる全般的に花形の外側輪郭を有するように構成されうる。この屋外ユニットの上部パネルは、上から見て全般的に六角形の形状を有するように構成されうる。屋外ユニットは、コイル支持フレームを有するように構成されうる。コイル支持フレームは、全般的に互いに向かい合う２つのコイルを支持するように構成されうる。このコイルはそれぞれ、互いに対して斜向配置された２つの区画を有するように構成されうる。上記花形の屋外ユニットは、より均一に分散された、コイルを横切る空気流を作り出す助けとなりうる。複数の花形の屋外ユニットが稼働時に互いに隣り合って配置されると、その花形の屋外ユニットにより、隣接する屋外ユニット間に、空気流の通過を可能にする空間が設けられうる。
【００１０】
本明細書の一部分をなす添付の図面を参照する。添付の図面には、実施形態が実施されうる実施形態が例として示されている。その説明で言及する寸法は例示的なものであり、様々な値をとりうる。本明細書で使用する用語は、図および実施形態を説明するためのものであり、本願の範囲を限定するとみなされるべきではないことを理解されたい。
【００１１】
図１に、屋外ユニット１００および屋内ユニット（単数または複数）１５０を備える空調システムの一実施形態が示されている。屋外ユニット１００は通例、屋外ユニットハウジング１１０、コンプレッサ１２０、コイル（単数または複数）１３０およびファン（単数または複数）１４０を有する。屋外ユニットは通例、蒸気状態の冷媒を圧縮し、その圧縮された冷媒を冷却して液体状態にするように構成される。次いで、液体の冷媒は屋内ユニット（単数または複数）１５０に流れ込む。
【００１２】
屋内ユニット（単数または複数）１５０は様々な構成を有しうる。いくつかの構成が図１に示されている。屋内ユニット（単数または複数）は、壁取り付けユニット１５０ａ、天井取り付けユニット１５０ｂ、および／または換気ダクト１５０ｃでありうる。屋内ユニット（単数または複数）１５０は、屋内空気と冷媒との熱交換を促進するように構成される。
【００１３】
図２Ａ〜２Ｄに、屋外ユニット２００の実施形態の様々な図が示されている。図２Ａは側面図である。図によると、側面像は、高さＨ１および長さＬ１を有する全般的に矩形の形状をしている。一実施形態では、高さＨ１は例えば約１５５０ｍｍであり、長さＬ１は例えば約１３８０ｍｍである。屋外ユニット２００はハウジング２１０を有する。ハウジング２１０はコイル支持体２１２を有するように構成され、コイル支持体２１２はコイル支持フレーム２１２Ｌおよび２１２Ｒを有するように構成される。コイル支持フレーム２１２Ｌおよび２１２Ｒは、１つのコイル２３０（コンデンサコイルなど）を支持するように構成され、コイル２３０は、２つのコイル区画、第１の区画２３０ａと第２の区画２３０ｂを有するように構成される。実施例によっては２つのコイル区画、第１の区画２３０ａと第２の区画２３０ｂは、ほぼ同じ寸法を有するように構成される。第１の区画２３０ａおよび第２の区画２３０ｂは、その第１の区画２３０ａと第２の区画２３０ｂの間を冷媒が流れうるように、互いに流体連通している。コイル２３０は全般的に高さＨ３を有する。一実施形態では、高さＨ３は例えば約１３００ｍｍである。尚、図２Ａは、ユニット２００の片側からみた像のみを示す。示されている側と反対側の面は、図２Ａで示されている構成と同様の構成を有しうる。
【００１４】
ハウジング２１０は、その上部パネル（図２Ｂに示されている２１７）に位置するファンガード（単数または複数）２１３を有する。ファンガード（単数または複数）２１３を含んだハウジング２１０は高さＨ２を有する。一実施形態では、高さＨ２は約１７００ｍｍである。
【００１５】
図２Ｂに、屋外ユニット２００の端面図が示されている。屋外ユニット２００の内部空間をより明確に示すために、屋外ユニット２００の妻パネルは取り除かれている。屋外ユニット２００のハウジング２１０は、コイル支持体２１２を有するように構成されうる。
【００１６】
ハウジング２１０は、下部パネル２１５および上部パネル２１７を有する。下部パネル２１５は、屋外ユニット２００の内部空間に位置するコンプレッサ２２０など、屋外ユニット２００のいくつかの構成部品を支持するように構成される。上部パネル２１７は、ファンガード（単数または複数）２１３およびファン２４０を支持するように構成される。妻から見て、下部パネル２１５は幅Ｗ１を有し、上部パネル２１７は幅Ｗ２を有する。幅Ｗ１は全般的に幅Ｗ２より小さい。一実施形態では、幅Ｗ１は約８００ｍｍ、幅Ｗ２は約１０４０ｍｍである。
【００１７】
図２Ｂに示されているように、コイル支持体２１２およびコイル２３０は全般的に、下部パネル２１５と上部パネル２１７の間に垂直に延び、下部パネル２１５から上部パネル２１７へと垂直方向Ｖ１にそれぞれ外向きに広がる。垂直方向Ｖ１は下部パネル２１５に対して垂直である。これらの広がったコイル支持体２１２は、コイル２３０を支持する支持表面Ｓ１およびＳ２をそれぞれ設けうる。支持表面Ｓ１およびＳ２は、下部パネル２１５から上部パネル２１７へと垂直方向Ｖ１に延び、外向きに傾斜する。外向きに傾斜した支持表面Ｓ１およびＳ２は、垂直方向Ｖ１に対して角度α１およびα２を有する。角度α１およびα２は、ほぼ同じになるように構成されうる。角度α１およびα２は、約０〜９０度の範囲内になりうる。実施形態によっては、好ましくは、角度α１およびα２は約４度〜約３０度になりうる。一実施形態では、角度α１およびα２は約８度である。広がったコイル支持体２１２は、コイル２３０に加えて、上部パネル２１７の近傍の領域でファン２４０（および／またはファンガード２１３）とコイル２３０の間により大きな空間を作り出す助けとなりうる。
【００１８】
数値流体力学シミュレーションによると、一般に、角度α１およびα２が増大すると、それに従ってコイル２３０の効率が向上しうる。しかしながら、角度α１およびα２が増大すると、複数の屋外ユニット２００が使用される場合に、隣接する屋外ユニット２００はそれに従ってさらに遠くに離して構成される必要がある（複数の屋外ユニットの構成例についての図５を参照）。この好ましい実施形態では、屋外ユニット２００の設置面積を犠牲することなくコイル２３０の効率が向上可能なように、コイル２３０の効率と隣接する屋外ユニット２００同士の間の空間とのバランスを取るために、角度α１およびα２は約４度〜約３０度になるように構成される。
【００１９】
上部パネル２１７は、ファンガード２１３のサイズに全般的に合致する穴（図示せず）を有しうる。ファンガードは幅Ｗ３を有する。一実施形態では、幅Ｗ３は約６１０ｍｍである。
【００２０】
図２Ｃを参照すると、屋外ユニット２００の上面図が示されている。上から見て、屋外ユニット２００は通例、六角形の形状をした上部パネル２１７を有する。屋外ユニット２００は２つのコイル２３０を有する。２つのコイル２３０は、全般的に互いに向かい合うように構成される。コイル２３０はそれぞれ、コイル区画２３０ａおよび２３０ｂなどの２つの区画を有するように構成される。長さＬ１によって規定される長手方向において、２つのコイル区画２３０ａと２３０ｂは、全般的に互いに対して斜向している。この文書における用語「互いに対して斜向した（斜向して）」、「斜向配置された」は一般に、長さＬ１によって規定される長手方向に沿って、具体的には上から見て（例えば図２Ｃ）、２つの隣接するコイル区画（例えば２３０ａと２３０ｂ）が、一定の角度（すなわち後述の角度β）をなすように配置されることを意味する。その角度の頂点は、ハウジング２１０の内部空間と反対の方を向いている。
【００２１】
図２Ｃに示されているように、２つのコイル２３０は全般的に互いに向かい合う。この２つのコイル２３０のそれぞれの２つのコイル区画（例えばコイル２３０のうちの１つに対するコイル区画２３０ａと２３０ｂ）が斜向配置されていると、２つの向かい合うコイル２３０の、長さＬ１に対して垂直な距離Ｄ２が、長さＬ１の中間区画に向かって大きくなる。
【００２２】
コイル２３０の各区画は通例、六角形の形状をした上部輪郭の１つの辺に対応する。示されている実施形態では、例えば、各コイル２３０は、六角形の形状をした上部輪郭の２つの隣接する辺に対応する。コイル区画２３０ａおよび２３０ｂは、コイル支持体２１２のコイル支持フレーム２１２Ｌおよび２１２Ｒによって設けられた支持表面によって支持される。例えば、コイル支持フレーム２１２Ｌおよび２１２Ｒによってそれぞれ画成された支持表面Ｓ３およびＳ４によって、第１の区画２３０ａおよび第２の区画２３０ｂがそれぞれ支持される。図のように、第１の区画２３０ａと第２の区画２３０ｂは、互いに対して斜向配置される。２つの支持表面Ｓ３とＳ４は角度βをなす。角度βは９０〜１８０度の範囲になりうる。実施形態によっては、好ましくは、角度βは約１２０度と約１７５度の範囲になりうる。一実施形態では、角度βは例えば約１７２度である。
【００２３】
数値流体力学シミュレーションによると、一般に、角度βが小さくなると、コイル２３０の効率がそれに従って向上しうる。しかしながら、角度βが小さくなると、複数の屋外ユニット２００が使用されたときに、隣接する屋外ユニット２００はそれに従って遠くに離して構成される必要がある（複数の屋外ユニットの構成例に対する図５を参照）。この好ましい実施形態では、屋外ユニット２００の設置面積を犠牲にすることなくコイル２３０の効率が向上可能なように、コイル２３０の効率と隣接する屋外ユニット２００同士の間の空間とのバランスを取るために、角度βは約１２０度〜約１７５度になるように構成される。
【００２４】
図２Ｄに、屋外ユニット２００の斜視図が示されている。図のように、そして上述のように、下部パネル２１５もまた、六角形の形状を有するように構成され、この六角形の形状は、六角形の形状をした上部パネル２１７よりも全般的に小さい。広がったコイル支持フレーム２１２、コイル２３０、および／または六角形の形状をした上部パネル２１７および下部パネル２１５が、花に似た屋外ユニット２００の輪郭を形成する。コイル支持フレーム２１２はその１つが、支持フレーム２１２Ｒおよび２１２Ｌによってそれぞれ画成される２つのコイル支持表面Ｓ３およびＳ４を形成しうる。コイル支持表面Ｓ３とＳ４は互いに対して斜向配置される。２つのコイル支持表面Ｓ３およびＳ４はそれぞれ、例えばそれぞれ第１の区画２３０ａまたは第２の区画２３０ｂなど、コイル２３０の区画の１つを支持する。第１の区画２３０ａと第２の区画２３０ｂは互いに対して斜向配置される。２つのコイル２３０は、例えばコンプレッサ２２０および／または屋外ユニット２００のその他の構成部品などを収容するように構成された屋外ユニット２００の内部空間を取り囲む。
【００２５】
図２Ａ〜２Ｄに示されている実施形態では、上部パネル２１７は、２つのファン２４０を収容するように構成される。これは例示的なものである。上部パネルは、２つよりも多い、またはそれより少ないファンを収容するように構成されうる。図３に示されているように、一実施形態では、上部パネル３１７は、３つのファン３４０を収容するように構成されうる。実施形態によっては、上部パネルは、ファンを１つだけ収容するように構成されうる。
【００２６】
上部パネルおよびコイル構成の実施形態は、様々な数のファンを収容するように構成されうることを理解されたい。
【００２７】
上部パネルは、六角形の形状以外の形状を有するように構成されうる。例えば、図４に示されているように、実施形態によっては、上部パネル４１７は、全般的に八角形の形状であるように構成されうる。コイル支持フレーム４１２は、２つの斜向配置された区画４１２Ｌと４１２Ｒの間に移行部分４１８を有するように構成されうる。
【００２８】
図５に示されているように、稼働時、５００ａ、５００ｂおよび５００ｃなどの同様の構成の複数の花形の屋外ユニットが、互いに近接して配置されうる。コイル５３０ａ、５３０ｂ−１、５３０ｂ−２および５３０ｃはそれぞれ、例えば図２Ａ〜２Ｄに示されているように、斜向配置された２つのコイル区画を有するように構成される。例えば５３０ａと５３０ｂ−１などの隣接する屋外ユニットの、斜向配置されたコイル区画により、隣接する屋外ユニット、例えば５００ａと５００ｂの間に空間が設けられうる。
【００２９】
さらに、コイル５３０ａ、５３０ｂ−１、５３０ｂ−２および５３０ｃは、それぞれ屋外ユニット５００ａ、５００ｂおよび５００ｃの上端に向かって外向きに傾斜している。これは、隣接するコイル５３０ａ、５３０ｂ−１、５３０ｂ−２および５３０ｃの間の空間を、具体的には屋外ユニット５００ａ、５００ｂおよび５００ｃの下端に向かって、広げる助けとなる。
【００３０】
斜向配置され、外向きに傾斜したコイル区画は、隣接するコイル間の空間を広げる助けとなりうる。この空間は、矢印ａ１およびａ２で示されているように、隣接するコイル間の空間に空気流が流れ込むのを促進する助けとなりうる。これは、コイル５３０ａ、５３０ｂ−１、５３０ｂ−２および５３０ｃの熱交換効率を向上させる助けとなりうる。
【００３１】
実験データ
図６Ａ〜６Ｃに、屋外ユニット６００ａおよび６００ｂの実施形態の、高さに沿ってコイルを通過する空気流の速度をシミュレーションするための、数値流体力学モデリング処理が示されている。図によると、図６Ａに、斜向配置され外向きに広がったコイル６３０ａを有するように構成された花形の屋外ユニット６００ａが示されている。図６Ｂに、斜向配置されたコイル６３０ｂを有するように構成された屋外ユニット６００ｂが示されている。ただし、コイル６３０ｂは、図６Ａのコイル６３０ａのように全般的に外向きに広がっていない。屋外ユニット６００ａのコイル６３０ａは長さＬ６を有する。この長さは屋外ユニット６００ｂのコイル６３０ｂの長さＬ７とほぼ同じである。屋外ユニット６００ａは下端幅Ｗ７ａを有する。この長さは屋外ユニット６００ｂの下端幅Ｗ７ｂとほぼ同じである。屋外ユニット６００ａは上端幅Ｗ８ａ有する。この長さは屋外ユニット６００ｂの上端幅Ｗ８ｂより長い。幅Ｗ８ａが幅Ｗ８ｂと比べて大きいのは、外向きに広げられたコイル６３０に起因する。屋外ユニット６００ａおよび屋外ユニット６００ｂの、ファン（単数または複数）、コンプレッサ（単数または複数）などの構成部品は、同様の仕様を有するように構成される。
【００３２】
図６Ｃに、屋外ユニット６００ａの高さＨ７ａと、屋外ユニット６００ｂの高さＨ７ｂとに沿った、各シミュレーション空気速度が示されている。コイル６３０ａは外向きに広がっていることから、高さＨ７ａは高さＨ７ｂよりも全般的に短い。図６Ｃでは、水平軸は、平均空気速度（メートル毎秒、ｍ／ｓ）である。垂直軸は、高さＨ７ａまたはＨ７ｂのパーセンテージに換算した評価位置の高さである。
【００３３】
図６Ｃに示されているように、屋外ユニット６００ａでは、その下端近傍の最小空気速度は約１ｍ／ｓで、その上端近傍の最大空気速度は約２ｍ／ｓである。屋外ユニット６００ａの最小空気速度と最大空気速度の差は約１ｍ／ｓである。これと比較して、屋外ユニット６００ｂは、その下端近傍の最小空気速度は約１ｍ／ｓで、その上端近傍の最大空気速度は約２．５ｍ／ｓである。最小空気速度と最大空気速度の差は約１．５ｍ／ｓであり、これは屋外ユニット６００ａの差（１ｍ／ｓ）より約５０％大きい。したがって、屋外ユニット６００ａは、その高さＨ７ａに沿って、屋外ユニット６００ｂの高さＨ７ｂに沿った空気速度よりも均一に分散された空気速度を有する。屋外ユニット６００ａの上端近傍の空気速度が屋外ユニット６００ｂの空気速度に比べて低速であるのは、外向きに広がるコイル６３０ａによって、屋外ユニット６００ａの上端近傍のファンとコイルの間に、屋外ユニット６００ｂの上端近傍の空間よりも大きな空間が作り出されることに起因しうる。
【００３４】
任意の態様１〜９が任意の態様１０〜１７と組み合わせうる。
【００３５】
態様１．空調システムの屋外ユニットのためのハウジングであって、
下部パネルおよび上部パネルと、
上記下部パネルと上記上部パネルの間に延びる、上記下部パネルから上記上部パネルへと垂直方向外向きに広がる、第１のコイル支持フレームおよび第２のコイル支持フレームとを備え、
上記第１および第２のコイル支持フレームがそれぞれ、上記下部パネルおよび上記上部パネルと共に、２つの支持表面を画成し、上記第１および第２のコイル支持フレームのそれぞれの上記２つの支持表面が、長手方向において互いに対して斜向している、ハウジング。
態様２．上記第１および第２のコイル支持フレームのそれぞれの上記２つの支持表面が、上記長手方向において互いに隣接し、上記長手方向において１８０度より小さい角度をなす、態様１に記載のハウジング。
態様３．上記第１のコイル支持フレームおよび上記第２のコイル支持フレームが、上記垂直方向に対して４〜３０度外向きに広がる、態様１〜２に記載のハウジング。
態様４．上記第１および第２のコイル支持フレームが、上記ハウジングの両側面にある、態様１〜３に記載のハウジング。
態様５．上記ハウジングの上部パネルが六角形の形状をしている、態様１〜４に記載のハウジング。
態様６．上記第１および第２のコイル支持フレームのそれぞれの上記２つの支持表面が、上記六角形の形状をした上部パネルの２つの隣接する辺を占める、態様５に記載のハウジング。
態様７．上記ハウジングの下部パネルが六角形の形状をしており、上記第１および第２のコイル支持フレームがそれぞれ、上記六角形の形状をした下部パネルの２つの辺を占める、態様１〜６に記載のハウジング。
態様８．上記下部パネルが、コンプレッサを支持するように構成され、上記上部パネルが、ファンを支持するように構成される、態様１〜７に記載のハウジング。
態様９．上記２つの支持表面によって形成される上記角度が１２０度〜１７５度である、態様２〜８に記載のハウジング。
態様１０．空調システムの屋外ユニットであって、
下部パネル、上部パネル、第１のコイル支持フレームおよび第２のコイル支持フレームを有するハウジングと、
上記第１のコイル支持フレームによって支持される第１のコイル区画および第２のコイル区画と、
上記第２のコイル支持フレームによって支持される第３のコイル区画および第４のコイル区画とを備え、
上記第１のコイル区画と上記第２のコイル区画が、長手方向において互いに対して斜向しており、上記第３のコイル区画と上記第４のコイル区画が、上記長手方向において互いに対して斜向しており、上記第１および第２のコイル支持フレームが、上記下部パネルから上記上部パネルへと垂直方向外向きに広がる、空調システムの屋外ユニット。
態様１１．上記第１のコイル区画と上記第２のコイル区画が、上記長手方向において互いに隣接し、上記第３のコイル区画と上記第４のコイル区画が、上記長手方向において互いに隣接する、態様１０に記載の空調システムの屋外ユニット。
態様１２．上記第１のコイル区画と上記第２のコイル区画、ならびに上記第３のコイル区画と上記第４のコイル区画が、上記長手方向において１８０度より小さい角度をなす、態様１０〜１１に記載の空調システムの屋外ユニット。
態様１３．上記ハウジングの上部パネルが六角形の形状をし、上記第１および第２のコイル支持フレームがそれぞれ、六角形の形状をした上部パネルの２つの隣接する辺に対応する、態様１０〜１２に記載の空調システムの屋外ユニット。
態様１４．上記ハウジングの下部パネルが六角形の形状をし、上記第１および第２のコイル支持フレームがそれぞれ、六角形の形状をした下部パネルの２つの辺に対応する、態様１０〜１３に記載の空調システムの屋外ユニット。
態様１５．上記下部パネルが、コンプレッサを支持するように構成され、上記上部パネルが、ファンを支持するように構成される、態様１０〜１４に記載の空調システムの屋外ユニット。
態様１６．上記第１のコイル区画と上記第２のコイル区画によって形成される上記角度が１２０〜１７５度である、態様１２〜１６に記載の空調システムの屋外ユニット。
態様１７．上記第１および第２のコイル支持フレームが、上記垂直方向に対して４〜３０度外向きに広がる、態様１０〜１６に記載の空調システムの屋外ユニット。
【００３６】
上述の説明に関しては、細部にわたって、特に、用いられる構成材料と、部品の形状、サイズおよび配置との点において、本発明の範囲から逸脱することなしに変更が行われうることを理解されたい。本明細書および示した実施形態は例示的なものにすぎないとみなされるべきであって、本発明の本来の範囲および趣旨は、特許請求の範囲の広範な意味によって示されるよう意図されている。
【符号の説明】
【００３７】
１００  屋外ユニット
１１０  屋外ユニットハウジング
１２０  コンプレッサ
１３０  コイル
１４０  ファン
１５０  屋内ユニット
１５０ａ  壁取り付けユニット
１５０ｂ  天井取り付けユニット
１５０ｃ  換気ダクト
２００  屋外ユニット
２１０  ハウジング
２１２  コイル支持体
２１２Ｌ  コイル支持フレーム
２１２Ｒ  コイル支持フレーム
２１３  ファンガード
２１５  下部パネル
２１７  上部パネル
２２０  コンプレッサ
２３０  コイル
２３０ａ  第１のコイル区画
２３０ｂ  第２のコイル区画
２４０  ファン
３１７  上部パネル
３４０  ファン
４１２  コイル支持フレーム
４１２Ｌ  斜向配置された区画
４１２Ｒ  斜向配置された区画
４１７  上部パネル
４１８  移行部分
５００ａ  屋外ユニット
５００ｂ  屋外ユニット
５００ｃ  屋外ユニット
５３０ａ  コイル
５３０ｂ−１  コイル
５３０ｂ−２  コイル
５３０ｃ  コイル
６００ａ  屋外ユニット
６００ｂ  屋外ユニット
６３０ａ  コイル
６３０ｂ  コイル
【図１】
2016523351.tif 000003
【図２Ａ】
2016523351.tif 000004
【図２Ｂ】
2016523351.tif 000005
【図２Ｃ】
2016523351.tif 000006
【図２Ｄ】
2016523351.tif 000007
【図３】
2016523351.tif 000008
【図４】
2016523351.tif 000009
【図５】
2016523351.tif 000010
【図６Ａ】
2016523351.tif 000011
【図６Ｂ】
2016523351.tif 000012
【図６Ｃ】
2016523351.tif 000013
【国際調査報告】
2016523351.tif 000014
2016523351.tif 000015
2016523351.tif 000016